【事件の表示】
　特許第２７２９６１１号「コンバインの脱穀装置」の特許に対する特許異議の申立てについて、　次のとおり決定する。
【結論】
　訂正を認める。
　特許第２７２９６１１号の特許を維持する。
【理由】
Ｉ．手続きの経緯
　本件特許第２７２９６１１号発明は、昭和６３年５月９日に出願された実願昭６３−６０９０４号を特願平５−２１２３４５号に変更し、この特許出願の一部を平成９年３月１４日に新たな特許出願としたものであり、その特許は平成９年１２月１９日に設定登録された。
　この特許に対し、異議申立人井関農機株式会社より特許異議の申立てがなされ、当審において取消理由を通知したところ、平成１１年４月２０日に訂正請求がなされた。
ＩＩ．訂正の適否についての判断
１．訂正の内容
　特許権者が求めている訂正の内容は、訂正請求書に添付した訂正明細書のとおりに訂正しようとするものである。すなわち、
（１）特許請求の範囲の訂正
　特許明細書の特許請求の範囲の「前記扱胴側部カバーと反対側の脱穀部側部で扱胴と略平行に処理胴を配設させた」を、「前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し、かつ前側に係止ピンを有する前記扱胴側部カバーと反対側の脱穀部側部で扱胴と略平行に処理胴を配設させた」と訂正する。
（２）発明の詳細な説明の訂正
　▲１▼同明細書２頁１２〜１３行の「前記扱胴側部カバーと反対側と脱穀部側部で扱胴と略平行に処理胴を配設させた」を、「前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し、かつ前側に係止ピンを有する前記扱胴側部カバーと反対側の脱穀部側部で扱胴と略平行に処理胴を配設させた」と訂正する。
　▲２▼同明細書７頁２〜３行の「前記扱胴側部カバー（３８）と反対側と脱穀部（４）側部で扱胴（６）と略平行に処理胴（７）を配設させた」を、「前記扱胴側部カバー（３８）の前側に係止ピン（４３）を設け、脱穀前側板（４４）に支軸（４６）・ストッパピン（４７）及びバネ（４８）を介してロック板（４５）が位置保持され、前記扱胴側部カバー（３８）が閉封されるとき、前記ロック板（４５）に固設するガイドレバー（４９）に前記係止ピン（４３）が当接し、前記バネ（４８）に抗して前記
ロック板（４５）を下方に押し下げ、前記ロック板（４５）のピン係合溝（５０）に前記係止ピン（４３）が係合し、前記扱胴側部カバー（３８）及び前記フィードチェン（５）を閉位置に固定保持するように構成し、かつ前側に係止ピン（４３）を有する前記扱胴側部カバー（３８）と反対側の脱穀部（４）側部で扱胴（６）と略平行に処理胴（７）を配設させた」と訂正する。
　▲３▼同明細書８頁６行の「（３８）　胴側部カバー」の後に、「（４３）　係止ピン
　（４４）　脱穀前側板
　（４５）　ロック板
　（４７）　ストッパピン
　（４８）　バネ
　（４９）　ガイドレバー
　（５０）　ピン係合溝」を挿入する。
２．訂正の目的の適否及び拡張・変更の存否
　上記（１）の訂正は、特許請求の範囲の記載において、構成要件を付加するものであるから、特許請求の範囲の減縮を目的とするものであり、また、（２）▲１▼ないし▲３▼の訂正は、発明の詳細な説明の記載を訂正後の特許請求の範囲の記載と整合させるためのものであるから、明りょうでない記載の釈明を目的とするものである。
　そして、上記（１）ないし（２）▲３▼の訂正は、願書に添付した明細書又は図面に記載した事項の範囲内においてするものであって新規事項を追加するものでなく、かつ、実質上特許請求の範囲を拡張し、又は変更するものではない。
３．独立特許要件の判断
（訂正明細書の発明）
　訂正明細書の請求項１に係る発明（以下、「訂正明細書の発明」という）は、訂正明細書の特許請求の範囲の請求項１に記載されたとおりの、次の事項により特定されるものである。
　「脱穀部一側で前後方向にフイードチェンを張設させるコンバインの脱穀装置において、チェンレールに前記フィードチェンを取付け、前記チェンレールを水平方向に回転自在に設ける水平回動支点軸を介してチェンレールを脱穀部側面に連結させ、脱穀部のクリンプ網側端に当接させる扱胴側部カバーを前記チェンレールに固定させると共に、前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し、かつ前側に係止ピンを有する前記扱胴側部カバーと反対側の脱穀部側部で扱胴と略平行に処理胴を配設させたことを特徴とするコンバインの脱穀装置。」
（同日出願の発明）
　当審において通知した取消理由で引用した、特許第２７２９６１０号（特願平９−８２３３６号）発明は本件と同日に出願されたものであり、その請求項１に係る発明（以下、「同日出願の発明」という）は、特許明細書と図面の記載からみて、その特許請求の範囲の請求項１に記載されたとおり、
　「脱穀部一側で前後方向にフィードチェンを張設させるコンバインの脱穀装置において、チェンレールに前記フィードチェンを取付け、前記チェンレールを水平方向に回転自在に設ける水平回動支点軸を介してチェンレールを脱穀部側面に連結させ、脱穀部のクリンプ網側端に当接させる扱胴側部カバーを前記チェンレールに取付けたことを特徴とするコンバインの脱穀装置。」
にあるものと認められる。
（対比・判断）
　訂正明細書の発明と同日出願の発明とを比較すると、両者は、脱穀部一側で前後方向にフイードチェンを張設させるコンバインの脱穀装置において、チェンレールに前記フィードチェンを取付け、前記チェンレールを水平方向に回転自在に設ける水平回動支点軸を介してチェンレールを脱穀部側面に連結させ、脱穀部のクリンプ網側端に当接させる扱胴側部カバーを前記チェンレールに取付けたことを特徴とするコンバインの脱穀装置で一致するが、
（１）訂正明細書の発明が、「前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し」ているのに対し、同日出願の発明は、前記構成を備えていない点
（２）訂正明細書の発明が、「扱胴側部カバーと反対側の脱穀部側部で扱胴と略平行に処理胴を配設させ」ているのに対し、同日出願の発明は、前記構成を備えていない点
で両者は構成が相違している。
　上記相違点（１）及び（２）について検討するに、相違点（２）の「扱胴側部カバーと反対側の脱穀部側部で扱胴と略平行に処理胴を配設させ」た構成は周知技術（例えば、特開昭５７−２６１２号公報、特開昭５６−１１７１５号公報参照）といえるが、相違点（１）の構成は周知技術とはいえず、また、当業者が適宜できる程度の設計事項でもないから、訂正明細書の発明と同日出願の発明とが同一とは認められない。
　したがって、訂正明細書の発明は特許出願の際独立して特許を受けることができるものである。
４．むすび
　以上のとおりであるから、上記訂正は、特許法第１２０条の４第２項、同条第３項で準用する第１２６条第２ないし４項の規定に適合するので、当該訂正を認める。
ＩＩＩ．特許異議の申立てについて
１．異議申立て理由の概要
　本件の請求項１に係る発明は、下記の甲第２号証の１及び２を考慮すると、本件と同日に出願された特許第２７２９６１０号発明（甲第１号証）と同一であるから、その特許は、特許法第３９条第２項の規定に違反してされたものであり、取り消されるべきである。
　記
甲第１号証：特許第２７２９６１０号公報
甲第２号証の１：特開昭５７−２６１２号公報
甲第２号証の２：特開昭５６−１１７１５号公報
２．本件発明
　本件の請求項１に係る発明（以下、「本件発明」という）は、上記ＩＩ．３．独立特許要件の判断における「（訂正明細書の発明）」に記載したとおりのものである。
３．当審の判断
　上記ＩＩ．３．独立特許要件の判断における
「（対比・判断）」に記載した理由により、本件発明が特許第２７２９６１０号発明（甲第１号証）と同一とすることはできない。
４．むすび
　以上のとおりであるから、特許異議申立ての理由及び証拠方法によって、本件発明の特許を取り消すことはできない。
　また、他に本件発明の特許を取り消すべき理由を発見しない。
　よって、結論のとおり決定する。
【異議決定日】
平成１２年１月１２日（２０００．１．１２）
【訂正の要旨】
　特許第２７２９６１１号発明の明細書を本件訂正請求書に添付した訂正明細書のとおりに、すなわち、特許請求の範囲の減縮を目的として下記▲１▼のとおりに訂正し、明りょうでない記載の釈明を目的として下記▲２▼ないし▲４▼のとおりに訂正する。
▲１▼特許明細書の特許請求の範囲（特許公報第１欄８〜９行）の「前記扱胴側部カバーと反対側の脱穀部側部で扱胴と略平行に処理胴を配設させた」を、「前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し、かつ前側に係止ピンを有する前記扱胴側部カバーと反対側の脱穀部側部で扱胴と略平行に処理胴を配設させた」と訂正する。
▲２▼同明細書２頁１２〜１３行（同公報第３欄１９〜２０行）の「前記扱胴側部カバーと反対側と脱穀部側部で扱胴と略平行に処理胴を配設させた」を、「前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し、かつ前側に係止ピンを有する前記扱胴側部カバーと反対側の脱穀部側部で扱胴と略平行に処理胴を配設させた」と訂正する。
▲３▼同明細書７頁２〜３行（同公報第７欄１〜２行）の「前記扱胴側部カバー（３８）と反対側と脱穀部（４）側部で扱胴（６）と略平行に処理胴（７）を配設させた」を、「前記扱胴側部カバー（３８）の前側に係止ピン（４３）を設け、脱穀前側板（４４）に支軸（４６）・ストッパピン（４７）及びバネ（４８）を介してロック板（４５）が位置保持され、前記扱胴側部カバー（３８）が閉封されるとき、前記ロック板（４５）に固設するガイドレバー（４９）に前記係止ピン（４３）が当接し、前記バネ（４８）に抗して前記ロック板（４５）を下方に押し下げ、前記ロック板（４５）のピン係合溝（５０）に前記係止ピン（４３）が係合し、前記扱胴側部カバー（３８）及び前記フィードチェン（５）を閉位置に固定保持するように構成し、かつ前側に係止ピン（４３）を有する前記扱胴側部カバー（３８）と反対側の脱穀部（４）側部で扱胴（６）と略平行に処理胴（７）を配設させた」と訂正する。
▲４▼同明細書８頁６行（同公報第８欄２０行）の「（３８）胴側部カバー」の後に、
「（４３）係止ピン
　（４４）脱穀前側板
　（４５）ロック板
　（４７）ストッパピン
　（４８）バネ
　（４９）ガイドレバー
　（５０）ピン係合溝」を挿入する。
（５４）【発明の名称】
コンバインの脱穀装置
（５７）【特許請求の範囲】
　【請求項１】　脱穀部一側で前後方向にフィードチェンを張設させるコンバインの脱穀装置において、チェンレールに前記フイードチェンを取付け、前記チェンレールを水平方向に回転自在に設ける水平回動支点軸を介してチェンレールを脱穀部側面に連結させ、脱穀部のクリンプ網側端に当接させる扱胴側部カバーを前記チェンレールに固定させると共に、
前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し、かつ前側に係止ピンを有する
【発明の詳細な説明】
　【０００１】
　【産業上の利用分野】
　本発明は刈取部で刈取った穀稈を脱穀処理するようにしたコンバインの脱穀装置に関する。
　【０００２】
　【従来の技術】
　従来、実開昭６１−１７０２４１号公報に示す如く、脱穀部の側方を開放させて扱室及び扱胴の保守点検やクリンプ網の交換などを行う場合、支点軸を中心にフィードチェンを移動させて脱穀部側面を開放させる技術があった。
　【０００３】
　【発明が解決しようとする課題】
　前記従来技術は、フィードチェンを取外す面倒な作業手間を省けたが、脱穀部側面下方側にフイードチェンを下降回動させて開放させていたから、扱胴の保守点検またはクリンプ網の交換などをフィードチェン上方空間から行う必要があり、作業者が脱穀部にフィードチェン越しに接近して作業を行う面倒があると共に、作業終了時にフィードチェンを持上げて元の位置に戻す必要があり、重いフィードチェンを持上げる面倒があり、また固定部の損傷などによりフィードチェンが自重降下する不具合がある。また、実開昭６２−１２８７３４号公報に示す如く、扱胴側部カバーによってクリンプ網を固定させる技術もあるが、前記カバー下端部を脱穀部側面に支点軸を介して連結させて下向きに開放させる構造であり、前記同様の不具合があると共に、前記カバーに挾扼杆を設けるから、挾扼杆を支える強度が前記カバーに必要であり、前記カバー構造の簡略化並びに前記カバー開閉操作性の向上などを容易に行い得ない等の問題がある。
　【０００４】
　【課題を解決するための手段】
　然るに、本発明は、脱穀部一側で前後方向にフィードチェンを張設させるコンバインの脱穀装置において、チェンレールに前記フィードチェンを取付け、前記チェンレールを水平方向に回転自在に設ける水平回動支点軸を介してチェンレールを脱穀部側面に連結させ、脱穀部のクリンプ網側端に当接させる扱胴側部カバーを前記チェンレールに固定させると共に、
前記扱胴側部カバーの前側に係止ピンを設け、脱穀前側板に支軸・ストッパピン及びバネを介してロック板が位置保持され、前記扱胴側部カバーが閉封されるとき、前記ロック板に固設するガイドレバーに前記係止ピンが当接し、前記バネに抗して前記ロック板を下方に押し下げ、前記ロック板のピン係合溝に前記係止ピンが係合し、前記扱胴側部カバー及び前記フィードチェンを閉位置に固定保持するように構成し、かつ前側に係止ピンを有する
　【０００５】
　【発明の実施の形態】
　以下、本発明の実施例を図面に基づいて詳述する。図１はフイードチェン部の側面説明図、図２はコンバインの全体側面図、図３は同平面図であり、図中（１）は走行クローラ（２）を装設するトラックフレーム、（３）は前記トラックフレーム（１）上に架設する機台、（４）はフィードチェン（５）を左側に張架し扱胴（６）及び処理胴（７）を内蔵している脱穀部、（８）は刈刃及び穀稈搬送機構などを備える刈取部、（９）は排藁チェン（１０）終端を臨ませる排藁処理部、（１１）は運転席（１２）及び運転操作部（１３）を備える運転台、（１４）は機台（３）の右側後部に配備してエンジン（１５）を内設するエンジン部、（１６）は前記エンジン部（１４）前方に配設して脱穀部（４）からの穀粒を溜める穀粒タンク、（１７）は前記穀粒タンク（１６）内の穀粒を外側に取出す排出オーガであり、連続的に刈取り・脱穀作業を行うように構成している。
　【０００６】
　図４乃至図６に示す如く、前記脱穀部（４）の上側壁カバー（１８）を上方に開放自在に設けると共に、前記フィードチェン（５）を脱穀部（４）左側方に開放自在に設けるもので、前記カバー（１８）の支柱（１９）にフレーム（２０）を介して挾扼杆（２１）を連結支持させ、前記カバー（１８）の基端を脱穀本体側の固定ブラケット（２２）に支点軸（２３）を介して開閉自在に支持させている。なお、（２４）は挾扼杆（２１）の外側を覆う挾扼杆カバー、（２５）は前記カバー（１８）を閉封保持するロック部材である。
　【０００７】
　また、前部回転体である駆動スプロケット（２６）を下部チェンレール（２７）前端に備えると共に、下部及び上部チェンレール（２７）（２８）の後端に固設する巻付防止板である上部枢着板（２９）に後部回転体である従動スプロケット（３０）を備え、各スプロケツト（２６）（３０）にフイードチェン（５）を張設させるもので、前記枢着板（２９）と、該枢着板（２９）下方に支柱（３１）を介して連結固定する下部枢着板（３２）とに、上下の水平回動支点軸（３３）（３４）をそれぞれ固設し、脱穀本体側の固定ブラケット（３５）（３６）に前記支点軸（３３）（３４）を介してフィードチェン（５）を側方に開放可能に支持するように構成している。
　【０００８】
　さらに、前記扱胴（６）下部のクリンプ網（３７）の外方側端部（３７ａ）に下端部を圧接させる扱胴側部カバー（３８）を、前記チェンレール（２７）（２８）に取付フレーム（３９）（４０）を介して一体連結すると共に、前記フィードチェン（５）のテンションローラ（４１）及びスプロケット（４２）をガイド板（４２ａ）などを介して前記チェンレール（２７）に取付け、前記フィードチェン（５）を側方開放時、側部カバー（３８）・テンションローラ（４１）・スプロケット（４２）も側方に一体的に回動させるように構成している。
　【０００９】
　そして、前記フィードチェン（５）を閉動作時、前記側部カバー（３８）の前側板（３８ａ）の係止ピン（４３）を脱穀前側板（４４）にロック板（４５）を介し係合保持させるもので、前側板（４４）に支軸（４６）・ストッパピン（４７）及びバネ（４８）を介してロック板（４５）が位置保持され、側部カバー（３８）が閉封されるとき、ロック板（４５）に固設するガイドレバー（４９）に前記ピン（４３）が当接し、バネ（４８）に抗してロック板（４５）を下方に押し下げ、ロック板（４５）のピン係合溝（５０）に前記ピン（４３）が係合し、側部カバー（３８）及びフィードチェン（５）を閉位置に固定保持するように構成している。
　【００１０】
　また、前記脱穀部（４）本体側に固設する駆動ケース（５１）に、前記フィードチェン（５）を駆動する駆動軸（５２）を備えるもので、該駆動軸（５２）を入力軸（５３）にギヤ（５４）を介し連結すると共に、前記駆動スプロケット（２６）のスプロケット軸（５５）にリミットクラッチ（５６）を介して継断自在に前記駆動軸（５２）を結合連結させ、リミットクラッチ（５６）のクラッチ爪による駆動伝達方式とすることにより、従来のピン結合方式に比べ、部品点数を削減させ耐久性向上を図るもので、脱穀用穀稈を搬送するフィードチェン（５）を脱穀部（４）側方に開放可能に設け、フイードチェン（５）を縦軸である水平回動支点軸（３３）（３４）回りに回転自在に脱穀部（４）の側部に設けると共に、本機側の駆動部である駆動軸（５２）に着脱自在に連結させる伝動接続部であるスプロケット軸（５５）を前記水平回動支点軸（３３）（３４）と離れた側に設けている。
　【００１１】
　さらに、前記フィードチェン（５）の後端側を支持する前記支点軸（３３）（３４）は、前記従動スプロケット（３０）のスプロケット軸（５７）より寸法（ｔ）後部位置で、フィードチェン（５）より脱穀本体側寄りに配設していて、フィードチェン（５）を開放時、該チェン（５）の最後端部である枢着板（２９）（３２）の脱穀本体側への入り込み代を最小限にし、機体左右全巾を一定寸法内に抑制しながら脱穀本体とフィードチェン（５）の干渉を防止するように構成するもので、脱穀用穀稈を搬送するフィードチェン（５）を脱穀部（４）側方に開放可能に設ける構造において、脱穀部（４）側方に開放するフィードチェン（５）の水平回動支点軸（３３）（３４）を、フイードチェン（５）の端部を支持する前記スプロケット（３０）のスプロケット軸（５７）よりもさらに端部外方位置でフィードチェン（５）よりも脱穀本体寄りに設けている。
　【００１２】
　上記から明らかなように、脱穀部（４）一側で前後方向にフィードチェン（５）を張設させるコンバインの脱穀装置において、チェンレール（２７）（２８）に前記フイードチェン（５）を取付け、前記チェンレール（２７）（２８）を水平方向に回転自在に設ける水平回動支点軸（３３）（３４）を介してチェンレール（２７）（２８）を脱穀部（４）側面に連結させ、脱穀部（４）のクリンプ網（３７）側端に当接させる扱胴側部カバー（３８）を前記チェンレール（２７）（２８）に固定させると共に、前記扱胴側部カバー（３８）と反対側の脱穀部（４）側部で扱胴（６）と略平行に処理胴（７）を配設させている。そして、フィードチェン（５）及びチェンレール（２７）（２８）を水平方向に回動させて脱穀部（４）側面を開放させ、従来のようにフィードチェン（５）を下げ上げ操作する面倒がなく、脱穀部（４）側面に対しフィードチェン（５）を離反または接合させる操作を従来よりも容易に行えると共に、従来のようにフィードチェン（５）越しにクリンプ網（３７）交換などを行う面倒がなく、脱穀部（４）側面部での作業者の行動がフィードチェン（５）によって規制される不具合をなくし得、また脱穀部（４）に支持させるチェンレール（２７）（２８）に扱胴側部カバー（３８）を取付けるから、該カバー（３８）支持部材として前記チェンレール（２７）（２８）を兼用し得、前記カバー（３８）構造の簡略化並びに製造コストの低減などを行え、しかも処理胴（７）を設ける脱穀部（４）側部と反対側の前記扱胴側部カバー（３８）位置からクリンプ網（３７）の交換または扱胴（６）下面側の掃除などを行え、処理胴（７）取付け構造の簡略化並びに取扱い操作性の向上などを容易に図れ、さらに処理胴（７）の取付によってフィードチェン（５）の側方開放が規制されることがなく、フィードチェン（５）を簡単な支持構造で大きく側方開放できるように構成している。
　【００１３】
　本実施例は上記の如く構成するものにして、前記フィードチェン（５）を開放自在に支持する回動支点軸（３３）（３４）を、前記従動スプロケット（３０）のスプロケット軸（５７）より寸法（ｔ）後部位置で、フィードチェン（５）より脱穀本体側寄りに配設するものであるから、前記フィードチェン（５）を開放時に最後端となる枢着板（２９）（３２）後端の脱穀本体側への入り込み代が最小となり、フィードチェン（５）を脱穀本体外方に張出させることなく機体全巾を一定寸法内に抑制した状態で干渉など不都合のない安全な開放作業を行える。
　【００１４】
　また、前記フィードチェン（５）を回動開放時、前記駆動スプロケット（２６）にフィードチェン（５）が巻回された状態でチェンレール（２７）（２８）などと一体的に開放されるものであるから、フィードチェン（５）開放操作を容易に行えて作業能率に秀れ、しかもフィードチェン（５）開放時、前記扱胴側部カバー（３８）も同時に外方に引出され、脱穀部（４）側面が開放状態となり、扱室内の点検保守やクリンプ網（３７）の交換作業を至便に行えるものである。
　【００１５】
　【発明の効果】
　以上実施例から明らかなように本発明は、脱穀部（４）一側で前後方向にフィードチェン（５）を張設させるコンバインの脱穀装置において、チェンレール（２７）（２８）に前記フィードチェン（５）を取付け、前記チェンレール（２７）（２８）を水平方向に回転自在に設ける水平回動支点軸（３３）（３４）を介してチェンレール（２７）（２８）を脱穀部（４）側面に連結させ、脱穀部（４）のクリンプ網（３７）側端に当接させる扱胴側部カバー（３８）を前記チェンレール（２７）（２８）に固定させると共に、
前記扱胴側部カバー（３８）の前側に係止ピン（４３）を設け、脱穀前側板（４４）に支軸（４６）・ストッパピン（４７）及びバネ（４８）を介してロック板（４５）が位置保持され、前記扱胴側部カバー（３８）が閉封されるとき、前記ロック板（４５）に固設するガイドレバー（４９）に前記係止ピン（４３）が当接し、前記バネ（４８）に抗して前記ロック板（４５）を下方に押し下げ、前記ロック板（４５）のピン係合溝（５０）に前記係止ピン（４３）が係合し、前記扱胴側部カバー（３８）及び前記フィードチェン（５）を閉位置に固定保持するように構成し、かつ前側に係止ピン（４３）を有する
【図面の簡単な説明】
　【図１】フィードチェン部の側面説明図。
　【図２】コンバインの全体側面図。
　【図３】同平面図。
　【図４】脱穀部の断面説明図。
　【図５】フィードチェン部の平面説明図。
　【図６】同部分説明図。
　【符号の説明】
　（４）　脱穀部
　（５）　フィードチェン
　（６）　扱胴
　（７）　処理胴
　（２７）（２８）　チェンレール
　（３３）（３４）　水平回動支点軸
　（３７）　クリンプ網
　（３８）　扱胴側部カバー
　
（４３）
係止ピン
　
（４４）
脱穀前側板
　
（４５）
ロック板
　
（４６）
玄軸
　
（４７）
ストッパピン
　
（４８）
バネ
　
（４９）
ガイドレバー
　
（５０）
ピン係合溝